(57)【要約】      （修正有）【課題】アクセスポイントの接続が途切れた場合や、アクセスポイント毎に機器の所有者が異なる場合、自動的にネットワークを構築し、インターネットにアクセスする方法を提供する。【解決手段】インターネットと接続する無線ＬＡＮアクセスポイントと、無線ＬＡＮ通信可能な通信装置とを含み、通信装置は、無線ＬＡＮアクセスポイントを起点とするインターネットまでの経路に関する情報を含む信号を受信し、経路に関する情報に基づいて、他の通信装置に接続する。【選択図】図１
2015186162.tif 000002
【特許請求の範囲】
【請求項１】
インターネットと接続する無線ＬＡＮアクセスポイントと、
無線ＬＡＮ通信可能な通信装置
とを含み、
前記通信装置は、
前記無線ＬＡＮアクセスポイントを起点とする前記インターネットまでの経路に関する情報を含む信号を受信し、前記経路に関する情報に基づいて、他の通信装置に接続する
無線ＬＡＮ通信システム。
【請求項２】
インターネットと接続する無線ＬＡＮアクセスポイントと、
無線ＬＡＮ通信可能な通信装置
とを含み、
前記通信装置は、
前記無線ＬＡＮアクセスポイントを起点とする前記インターネットまでの経路に関する情報を含む信号を送信する
無線ＬＡＮ通信システム。
【請求項３】
前記通信装置は、取得するビーコンに前記経路に関する情報がない場合、モバイル通信回線を選択する
請求項１または２に記載した無線ＬＡＮ通信システム。
【請求項４】
前記通信装置は、モバイル通信回線を選択した場合、出力するビーコンに含める前記経路に関する情報の値を０に設定する
請求項３に記載した無線ＬＡＮ通信システム。
【請求項５】
前記ビーコンは、前記通信装置に接続するその他の通信装置の数であるノード数情報をさらに含み、
前記通信装置は、前記経路に関する情報を含む前記ビーコンが複数存在する場合、前記ノード数情報が最少であるビーコンに対応する他の通信装置に接続する
請求項１から４のいずれか１項に記載した無線ＬＡＮ通信システム。
【請求項６】
前記通信装置は、前記ノード数情報が最少である信号に対応する他の通信装置が複数存在する場合、無作為で一つ選択して接続する
請求項５に記載した無線ＬＡＮ通信システム。
【請求項７】
前記通信装置は、前記ノード数情報が最少である信号に対応する他の通信装置が唯一である場合、前記ノード数情報が最少である信号に対応する他の通信装置に接続する
請求項５に記載した無線ＬＡＮ通信システム。
【請求項８】
前記無線ＬＡＮアクセスポイントは、前記経路に関する情報の値が１である前記信号を送信する
請求項１から７のいずれか１項に記載した無線ＬＡＮ通信システム。
【請求項９】
インターネットと接続する無線ＬＡＮアクセスポイントを起点とする前記インターネットまでの経路に関する情報として数値情報を含む信号を送信し、
他の通信装置に接続した場合、送信する前記経路に関する情報の値を、前記経路に関する情報の値より１大きい値に設定する
無線ＬＡＮ通信装置。
【請求項１０】
インターネットと接続する無線ＬＡＮアクセスポイントを起点とする前記インターネットまでの経路に関する情報を含む信号を受信し、
前記経路に関する情報に基づいて、無線ＬＡＮ通信可能な通信装置に接続する
無線ＬＡＮ通信方法。
【発明の詳細な説明】
【技術分野】
【０００１】
本発明は無線ＬＡＮ通信システムに関し、特に、移動可能なルータを利用するモバイル通信システムに関する。
【背景技術】
【０００２】
近年、スマートフォンやタブレット端末が急速に普及している。これに伴い、屋外でのインターネット利用の需要が高まっている。屋外で利用されるインターネット回線としてはモバイル通信回線が一般的である。モバイル通信回線としては３Ｇ（３ｒｄＧｅｎｅｒａｔｉｏｎ）やＬＴＥ（Ｌｏｎｇ  Ｔｅｒｍ  Ｅｖｏｌｕｔｉｏｎ）、Ｗｉｍａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）が挙げられる。これらモバイル通信回線においては、急速に増大するデータ通信量に対する通信帯域の不足が共通の課題である。そこで、可能な限りモバイル通信回線ではない他の回線（例えばＦＴＴＨ（Ｆｉｂｅｒ  Ｔｏ  Ｔｈｅ  Ｈｏｍｅ）のような固定回線）を用いたネットワークを利用することで、モバイル通信回線の負荷を減らす方法が検討されている。
【０００３】
このような複数の回線を利用してネットワークを構築する方法の一つとして、複数の無線ＬＡＮ（Ｌｏｃａｌ  Ａｒｅａ  Ｎｅｔｗｏｒｋ）セグメントが相互に通信を行うことにより他の回線でインターネットに接続されている無線ＬＡＮセグメントを起点とするモバイルルータを用いたモバイル通信方法がある。
【０００４】
特許文献１にはこのようなモバイルルータを用いたモバイル通信方法の一例が記載されている。特許文献１に記載された発明は、モバイルコミュニケーションシステムに係る発明である。インターネットに接続可能な無線アクセスポイント装置を起点として、複数の無線アクセスポイントが無線によって接続されたメッシュ型ワイヤレス通信網（メッシュネットワーク）の構成が記載されている。前述の構成を採用することによって有線ＬＡＮが敷設不可能な場所にもアクセスポイントを設置することができるとされている。
【先行技術文献】
【特許文献】
【０００５】
【特許文献１】特開２００８−２０６１０２号公報
【発明の概要】
【発明が解決しようとする課題】
【０００６】
しかしながら、特許文献１のモバイルルータを用いた無線ＬＡＮ通信方法においては、アクセスポイントの位置関係が変わったり、一部の機器が故障したり等でアクセスポイントの接続が途切れた場合、人為的にネットワークを再構築しなければならなかった。また、アクセスポイント毎に機器の所有者が異なる場合、それらの機器の情報を統括的に管理することが事実上不可能であるため、ネットワークを構築することができなかった。つまり、アクセスポイントの接続が途切れた場合や、アクセスポイント毎に機器の所有者が異なる場合、自動的にネットワークを構築し、インターネットにアクセスできなかった。
【０００７】
本発明の目的は、無線ＬＡＮネットワークの構築が容易となる無線ＬＡＮの子機を用いた無線ＬＡＮ通信システム、無線ＬＡＮ通信装置、無線ＬＡＮ通信方法を提供することにある。
【課題を解決するための手段】
【０００８】
本発明の無線ＬＡＮ通信システムは、インターネットと接続する無線ＬＡＮアクセスポイントと、無線ＬＡＮ通信可能な通信装置とを含み、通信装置は、無線ＬＡＮアクセスポイントを起点とするインターネットまでの経路に関する情報を含む信号を受信し、経路に関する情報に基づいて、他の通信装置に接続する。
【０００９】
本発明の無線ＬＡＮ通信装置は、インターネットと接続する無線ＬＡＮアクセスポイントを起点とする前記インターネットまでの経路に関する情報として数値情報を含む信号を送信し、他の通信装置に接続した場合、送信する前記経路に関する情報の値を、経路に関する情報の値より１大きい値に設定する。
【００１０】
本発明の無線ＬＡＮ通信方法は、インターネットと接続する無線ＬＡＮアクセスポイントを起点とするインターネットまでの経路に関する情報を含む信号を受信し、経路に関する情報に基づいて、無線ＬＡＮ通信可能な通信装置に接続する。
【発明の効果】
【００１１】
本発明の無線ＬＡＮ通信システム、無線ＬＡＮ通信装置、無線ＬＡＮ通信方法によれば、無線ＬＡＮネットワークの構築が容易となる。
【図面の簡単な説明】
【００１２】
【図１】本発明の第１の実施形態に係る無線ＬＡＮ通信システムの構成を示す図である。
【図２】本発明の第１の実施形態に係る無線ＬＡＮのビーコンフレームのフォーマットの概略図である。
【図３】本発明の第１の実施形態に係るモバイルルータがモバイル通信回線で基地局と通信を開始するあるいは無線ＬＡＮ機器に帰属するまでのフローチャートである。
【図４】本発明の第２の実施形態に係るモバイルルータを用いたモバイル通信システムの構成を示す図である。
【図５】本発明の第２の実施形態に係る無線ＬＡＮのビーコンフレームのフォーマットの概略図である。
【図６】本発明の第２の実施形態に係るモバイルルータがモバイル通信回線で基地局と通信を開始するあるいは無線ＬＡＮ機器に帰属するまでのフローチャートである。
【発明を実施するための形態】
【００１３】
以下に、図面を参照しながら、本発明の実施形態について詳細に説明する。
【００１４】
なお、以下の説明では、同じ機能を有するものには同じ符号をつけ、その説明を省略する場合がある。
【００１５】
（第１の実施形態）
図１は本発明の第１の実施形態に係る無線ＬＡＮ通信システムの構成を示す図である。無線ＬＡＮアクセスポイント３１はＦＴＴＨ等の固定回線４１でインターネットに接続している。モバイルルータ２１ａ〜２１ｅは無線ＬＡＮとモバイル通信回線のいずれにも接続できるルータである。点線は無線セルでありモバイルルータ２１ａ〜２１ｅの通信可能な範囲を意味する。基地局１１はモバイル通信回線を提供する基地局である。基地局１１の通信可能な範囲は広く、モバイルルータ２１ａ〜２１ｅはモバイル通信回線を用いて基地局１１と通信可能である。モバイルルータ２１ａ〜２１ｅはモバイル通信回線接続機能及び無線ＬＡＮの親機と子機の機能を持つ。モバイルルータは、無線ＬＡＮ通信部を有するなど、無線ＬＡＮ通信可能な通信装置であれば、スマートフォンでも、ゲーム機でも何であってもよい。無線ＬＡＮ通信可能とは無線ＬＡＮの親機としても子機としても機能することである。
【００１６】
図２は本発明の第１の実施形態に係る無線ＬＡＮのビーコンフレームのフォーマットの概略図である。無線ＬＡＮアクセスポイント１１及びモバイルルータ２１ａ〜２１ｅはインターネットまでの経路に関する情報を付加した無線ＬＡＮネットワークの構成情報（ビーコン）を送信する。無線ＬＡＮのビーコンフレームにはＶｅｎｄｏｒ  Ｓｐｅｃｉｆｉｃと呼ばれるベンダーが独自に情報を付加できる領域５１が存在する。本実施形態では、このＶｅｎｄｏｒ  Ｓｐｅｃｉｆｉｃにインターネットまでの経路に関する情報を付加する。経路に関する情報とは、例えば、インターネットまでの経路に介在する通信装置の数や、距離などの情報である。経路に関する情報の具体例として”ｗｉｒｅｄ  ｎｅｔｗｏｒｋ  ｄｉｓｔａｎｃｅ：  Ｘ”という文字列を付加する。ここで、Ｘは経路に関する情報５２であり、インターネットまでに経由する無線ＬＡＮ機器の数である。インターネットへアクセスできる経路が存在しない場合、Ｘは０とする。このような経路に関する情報をビーコンフレームに付加することで、ビーコンフレームのＶｅｎｄｏｒ  Ｓｐｅｃｉｆｉｃに”ｗｉｒｅｄ  ｎｅｔｗｏｒｋ  ｄｉｓｔａｎｃｅ：”という文字列が存在すれば、そのビーコンフレームの送信元は用いた無線ＬＡＮ機器であることが判明する。このため、Ｘの値からその無線ＬＡＮセグメントからインターネットまでの経路に関する情報が読み取れる。
【００１７】
本実施形態においては、ＦＴＴＨ等の固定回線４１でインターネットに接続している無線ＬＡＮアクセスポイント３１と複数のモバイルルータ２１ａ〜２１ｅとが送信するビーコンにこの経路に関する情報５２を付加する。ビーコンに付加されたインターネットまでの経路に関する情報５２により、モバイルルータは周りにモバイル通信回線以外でインターネットアクセスが可能な経路の有無を判断する。さらにモバイルルータは経路が複数存在する場合どの経路を選択するのが最適であるか判断する。
【００１８】
つまり、一のモバイルルータが他のモバイルルータの構成する無線ＬＡＮネットワークに接続する際、複数の接続先候補から自動的に最適な接続先を選択し接続する。また、無線ＬＡＮアクセスポイント３１の電波が届かない場所にあるモバイルルータであっても、他のモバイルルータを経由して無線ＬＡＮアクセスポイント３１にアクセスし、インターネット接続を行うことができる。つまり、モバイル通信回線を使用しないインターネットアクセス経路であるメッシュネットワークを自動的に構築できる。
このため、モバイル通信回線へ負荷をかけずにインターネットアクセスが可能である。また、一般的にモバイル通信回線よりも無線ＬＡＮの方が高速通信が可能である。このため、モバイル通信回線よりも高速なインターネットアクセスが可能である。
【００１９】
（作用）
図３は、本発明の第１の実施形態に係るモバイルルータがモバイル通信回線で基地局と通信を開始するあるいは無線ＬＡＮ機器に帰属するまでのフローチャートである。
【００２０】
はじめに、モバイルルータはビーコンのスキャンを行う（ステップＳ１）。多くの場合、複数個のビーコンがスキャンされる。
【００２１】
ステップＳ１において該当するビーコンがない場合、有線ネットワーク経由でのインターネットアクセスは不可能であると判断し、モバイルルータはモバイル通信回線との通信を開始する（ステップＳ７）。モバイル通信回線との通信を開始した場合、送信するビーコンのＸの値は０とする（ステップＳ８）。
【００２２】
ステップＳ１において該当するビーコンがある場合、モバイルルータはスキャンしたビーコンフレームのＶｅｎｄｅｒ  Ｓｐｅｃｉｆｉｃ内に、”ｗｉｒｅｄ  ｎｅｔｗｏｒｋ  ｄｉｓｔａｎｃｅ：”が存在するか判断する（ステップＳ２）。
【００２３】
ステップＳ２において該当するビーコンが存在しない場合、有線ネットワーク経由でのインターネットアクセスは不可能であると判断し、モバイルルータはモバイル通信回線での通信を開始する（ステップＳ７）。モバイル通信回線での通信を開始した場合、送信するビーコンのＸの値は０とする（ステップＳ８）。
【００２４】
ステップＳ２において該当するビーコンが存在する場合、モバイルルータは該当するビーコンのＸの値が０以外かあるか調べる（ステップＳ３）。
【００２５】
ステップＳ３において該当するビーコンのＸの値がすべて０である場合、有線ネットワーク経由でのインターネットアクセスは不可能であると判断し、モバイルルータはモバイル通信回線との通信を開始する（ステップＳ７）。モバイル通信回線との通信を開始した場合、送信するビーコンのＸの値は０とする（ステップＳ８）。
【００２６】
ステップＳ３において該当するビーコンのＸの値に０以外の値がある場合、モバイルルータは該当するビーコンの中で、最小のＸの値を調べる（ステップＳ４）。
【００２７】
そして、モバイルルータはＸの値が最小のビーコンを送信したルータの無線ＬＡＮに接続する（ステップＳ５）。以降、送信するビーコンのＸの値を、接続したルータのビーコンのＸの値＋１とする（ステップＳ６）。
【００２８】
モバイルルータは上述した一連の処理を所定の間隔で繰り返し行う。
【００２９】
ここで具体例として、図２において、モバイルルータが２１ａ，２１ｂ，２１ｃ，２１ｅ，２１ｄの順で現れる場合を考える。ここで、無線ＬＡＮアクセスポイント３１は、”ｗｉｒｅｄ  ｎｅｔｗｏｒｋ  ｄｉｓｔａｎｃｅ：”のＸの値が１のビーコンを継続的に送信する。
【００３０】
まず、モバイルルータ２１ａが無線通信可能なエリア内に現れたとする。モバイルルータ２１ａは、ビーコンのスキャンを行い（ステップＳ１）無線ＬＡＮアクセスポイント３１のビーコンを見つける。次に、モバイルルータ２１ａは無線ＬＡＮアクセスポイント３１のビーコンの”ｗｉｒｅｄ  ｎｅｔｗｏｒｋ  ｄｉｓｔａｎｃｅ：”の存在を確認し（ステップＳ２）、Ｘの値は１であり、０以外があることを確認する（ステップＳ３）。さらに、モバイルルータ２１ａはスキャンしたビーコンの中でＸの値が最小であることを確認し（ステップＳ４）、無線ＬＡＮアクセスポイント３１のネットワークに接続する（ステップＳ５）。また、モバイルルータ２１ａは送信するビーコンのＸの値を２（＝１＋１）に設定する（ステップＳ６）。
【００３１】
次に、モバイルルータ２１ｂが無線通信可能なエリア内に現れたとする。モバイルルータ２１ｂは無線ＬＡＮアクセスポイント３１の無線セルに入っているが、モバイルルータ２１ａの無線セルには入っていない。従ってモバイルルータ２１ｂは上述したモバイルルータ２１ａと同様の処理動作を行って無線アクセスポイント３１のネットワークに接続する。具体的には、モバイルルータ２１ｂは、ビーコンのスキャンを行い（ステップＳ１）無線ＬＡＮアクセスポイント３１のビーコンを見つける。次に、モバイルルータ２１ｂは無線ＬＡＮアクセスポイント３１のビーコンの”ｗｉｒｅｄ  ｎｅｔｗｏｒｋ  ｄｉｓｔａｎｃｅ：”の存在を確認し（ステップＳ２）、Ｘの値は１であり、０以外があることを確認する（ステップＳ３）。さらに、モバイルルータ２１ｂはスキャンしたビーコンの中でのＸの値が最小であることを確認し（ステップＳ４）、無線ＬＡＮアクセスポイント３１のネットワークに接続する（ステップＳ５）。また、モバイルルータ２１ｂは送信するビーコンのＸの値を２（＝１＋１）に設定する（ステップＳ６）。
【００３２】
次に、モバイルルータ２１ｃが無線通信可能なエリア内に現れたとする。このとき、モバイルルータ２１ｃはモバイルルータ２１ｂの無線セルにのみ入っている。このため、モバイルルータ２１ｃはモバイルルータ２１ｂのネットワークに接続する。モバイルルータ２１ｂのビーコンのＸの値は２であるため、モバイルルータ２１ｃの送信するビーコンのＸの値は３となる。具体的には、モバイルルータ２１ｃは、ビーコンのスキャンを行い（ステップＳ１）、モバイルルータ２１ｂのビーコンを見つける。次に、モバイルルータ２１ｃは、モバイルルータ２１ｂのビーコンの”ｗｉｒｅｄ  ｎｅｔｗｏｒｋ  ｄｉｓｔａｎｃｅ：”の存在を確認し（ステップＳ２）、Ｘの値は２であり、０でないことを確認する（ステップＳ３）。さらに、モバイルルータ２１ｃは、モバイルルータ２１ｂがスキャンしたビーコンの中でＸの値が最小であることを確認し（ステップＳ４）、無線ＬＡＮアクセスポイント２１ｂのネットワークに接続する（ステップＳ５）。また、モバイルルータ２１ｃは送信するビーコンのＸの値を３（＝２＋１）に設定する（ステップＳ６）。
【００３３】
次に、モバイルルータ２１ｅが無線通信可能なエリア内に現れたとする。このとき、モバイルルータ２１ｅはどの無線セルにも入っていない。従ってビーコンのスキャン（ステップＳ１）を行ってもビーコンは見つからず、モバイルルータ２１ｅはモバイル通信回線での通信を開始する（ステップＳ７）。そして、モバイルルータ２１ｅは送信するビーコンのＸの値を０に設定する（ステップＳ８）。
【００３４】
最後に、モバイルルータ２１ｄが無線通信可能なエリア内に現れたとする。このとき、モバイルルータ２１ｄはモバイルルータ２１ａ，２１ｃ，２１ｅの無線セルに入っている。モバイルルータ２１ｄは、これらの中で、ビーコンのＸの値が０を除いた中で最小であるモバイルルータ２１ａのネットワークに接続する。具体的には、モバイルルータ２１ｄは、ビーコンのスキャンを行い（ステップＳ１）モバイルルータ２１ａ、２１ｃ、２１ｅのビーコンを見つける。次に、モバイルルータ２１ｄはモバイルルータ２１ａ、２１ｃ、２１ｅのビーコンの”ｗｉｒｅｄ  ｎｅｔｗｏｒｋ  ｄｉｓｔａｎｃｅ：”の存在を確認し（ステップＳ２）、Ｘの値はそれぞれ２，３，０であり、０以外があることを確認する（ステップＳ３）。さらに、モバイルルータ２１ｄはスキャンしたビーコンの中でＸの値の０以外の最小値が２であることを確認し（ステップＳ４）、無線ＬＡＮアクセスポイント２１ａのネットワークに接続する（ステップＳ５）。また、モバイルルータ２１ｄは送信するビーコンのＸの値を３（＝２＋１）に設定する（ステップＳ６）。
【００３５】
以上のように、各モバイルルータは最適な接続先を選択しながら自動的にネットワークを構築していく。
【００３６】
（効果）
本実施形態のモバイルルータを用いたモバイル通信システム、モバイルルータを用いたモバイル通信方法によれば、無線ＬＡＮネットワークの構築が容易となる。
【００３７】
さらに、本実施形態では、モバイル通信回線へ負荷をかけずにインターネットアクセスが可能となる。
【００３８】
さらに、本実施形態では、モバイル通信回線より高速なインターネットアクセスが可能となる。
【００３９】
（第２の実施形態）
図４は本発明の第２の実施形態に係るモバイルルータを用いたモバイル通信システムの構成を示す図である。無線ＬＡＮアクセスポイント３２はＦＴＴＨ等の固定回線４２でインターネットに接続している。モバイルルータ２２ａ〜２２ｄは無線ＬＡＮとモバイル通信回線のいずれにも接続できるルータである。無線セルはそれぞれモバイルルータ２２ａ〜２２ｄの通信可能な範囲を意味する。基地局１２はモバイル通信回線を提供する基地局である。基地局１２の通信可能な範囲は広く、モバイルルータ２２ａ〜２２ｄはモバイル通信回線を用いて基地局１２と通信可能である。
【００４０】
図５は本発明の第２の実施形態に係る無線ＬＡＮのビーコンフレームのフォーマットの概略図である。無線ＬＡＮアクセスポイント３１及びモバイルルータ２１ａ〜２１ｅはインターネットまでの論理的な経路に関する情報を付加したビーコンを送信する。本実施形態では、Ｖｅｎｄｏｒ  Ｓｐｅｃｉｆｉｃにモバイルルータのネットワークに接続するその他のモバイルルータの数であるノード数情報を付加する。ノード数に関する情報５３の具体例として”ｎｏｄｅｓ：  Ｙ”という文字列を付加する。
【００４１】
（作用）
図６は本発明の第２の実施形態に係るモバイルルータがモバイル通信回線で基地局と通信を開始するあるいは無線ＬＡＮ機器に帰属するまでのフローチャートである。
【００４２】
図３に示した第１の実施形態のステップＳ４までのステップを第２の実施形態でも同様に行う。そして第１の実施形態のステップＳ５以降の処理を図６に示すステップに置き換える。
【００４３】
すなわち、モバイルルータはスキャンしたビーコンの中でＸの値が最小のビーコンが複数あるか判断する（ステップＳ１１）。
【００４４】
ステップＳ１１においてＸの値が最小のビーコン複数ない場合、モバイルルータはＸの値が最小のビーコンを送信したルータの無線ＬＡＮに接続する（ステップＳ１５）。
【００４５】
ステップＳ１１においてＸの値が最小のビーコン複数ある場合、モバイルルータは該当するビーコンについてＹの値を調べる（処理ステップＳ１２）。
【００４６】
次に、モバイルルータはＹの値が最小のビーコンが複数あるか判断する（ステップＳ１３）。
【００４７】
ステップＳ１３においてＹの値が最小のビーコンが複数ない場合、接続先は一意に選択可能と判断し、モバイルルータはＹの値が最小のビーコンを送信したルータの無線ＬＡＮに接続する（ステップＳ１６）。
【００４８】
ステップＳ１３においてＹの値が最小のビーコンが複数ある場合、該当するビーコンを送信した無線ＬＡＮ親機の負荷状況は等しいと判断し、モバイルルータはＹの値が最小のビーコンを送信している他のモバイルルータから無作為で一つ選択してそのモバイルルータの無線ＬＡＮに接続する（ステップＳ１４）。
【００４９】
モバイルルータは上述した一連の処理を所定の間隔で繰り返し行う。
【００５０】
このような処理を行うことで、インターネットまでの論理的な距離が等しいモバイルルータ間での通信負荷の偏りをなくすことが可能である。
【００５１】
（効果）
本実施形態のモバイルルータを用いたモバイル通信システム、モバイルルータを用いたモバイル通信方法によれば、無線ＬＡＮネットワークの構築が容易となる。
【００５２】
さらに本実施形態では、インターネットまでの論理的な距離が等しいモバイルルータ間での通信負荷の偏りをなくすことが可能である。
【００５３】
本発明は上記実施形態に限定されることなく、特許請求の範囲に記載の発明の範囲内で、種々の変形が可能であり、それらも本発明の範囲内に含まれるものであることはいうまでもない。
【符号の説明】
【００５４】
１１，１２    基地局
２１ａ，２１ｂ，２１ｃ，２１ｄ，２１ｅ,３１ａ,３１ｂ,３１ｃ,３１ｄ    モバイルルータ
３１，３２    無線ＬＡＮアクセスポイント
４１，４２    ＦＴＴＨ等の固定回線
５１    Ｖｅｎｄｏｒ  Ｓｐｅｃｉｆｉｃ
５２    経路に関する情報
５３    ノード数に関する情報
【図１】
2015186162.tif 000003
【図２】
2015186162.tif 000004
【図３】
2015186162.tif 000005
【図４】
2015186162.tif 000006
【図５】
2015186162.tif 000007
【図６】
2015186162.tif 000008